(57)【要約】      （修正有）【課題】法面に配設する蛇篭の敷設作業を効率的かつ安全に行うことが出来る蛇篭を提供する。【解決手段】底面材１２、側面材１４、１５、上蓋材によって成形される蛇篭本体に、二個以上の吊上用金具２０を配する。吊上用金具２０は、底面材１２の下を支持する下面支持部２１と、下面支持部２１の端部から立ち上げた垂直部と、垂直部の上端部に吊上用フックを係止させる係止部を備える。係止部は、上蓋材より上に位置させてなり、吊上用金具２０は、少なくとも底面材１２の左右両端部近傍に配設する。蛇篭は、吊上用金具２０を備えるので、石材を充填した後に重機車両を介して吊り上げ、移動させることが出来る。【選択図】図４
0003187264.tif 000002
【実用新案登録請求の範囲】
【請求項１】
骨線に金網を配設した底面材、側面材、上蓋材によって成形される蛇篭本体に、二個以上の吊上用金具を配するものであって、
この吊上用金具は、
前記底面材の下を支持する下面支持部と、
当該下面支持部の端部から立ち上げた垂直部と、
当該垂直部の上端部に吊上用フックを係止させる係止部を備え、
当該係止部は、前記上蓋材より上に位置させてなり、
この吊上用金具は、
少なくとも前記底面材の左右両端部近傍に配設することを特徴とする蛇篭。
【請求項２】
吊上用金具は、
一本の鉄線を折曲させて形成するものであって、
当該鉄線の両端部の突き合わせ部位を、金属製の抱持材を介して溶接し、
当該抱持材を、吊上用金具の下面支持部に設けることを特徴とする請求項１記載の蛇篭。
【請求項３】
吊上用金具の下面支持部の両端部近傍に、鉄線の湾曲を抑える平板状の補強材を設けることを特徴とする請求項２記載の蛇篭。
【考案の詳細な説明】
【技術分野】
【０００１】
本考案は、蛇篭に係り、とくに法面（傾斜地）に敷設する際の作業効率を向上させることの出来る蛇篭の構造に関する。
【背景技術】
【０００２】
図１４に示すように、法面（傾斜面）Ｑの補強、あるいは緑化等を目的とした土木工事を行うときには、蛇篭１を用いることがある。蛇篭（ふとん篭；ドレン篭）１は、太い金属線を用いて成形したフレーム材に金属製ネットを配設した、底面材、側面材、上蓋材を組み合わせて成形するもので、内部に砂利等の石材を充填して上蓋材を配し、これを法面Ｑに敷設する。
【０００３】
従来、蛇篭１を法面Ｑに設置するときには、まず傾斜のない平場Ｐへ組み立て前の蛇篭のパーツ材を運び入れ、現場（平場）において底面と側面を組み立てて必要個数を準備した後、クレーン車等により蛇篭１を法面Ｑへ移動させ、作業員によって蛇篭１の固定作業を行った。
【０００４】
次に、敷設した蛇篭１へ石材を充填する作業を行う。この場合も、クレーン車等によって石材を移動させて充填する。
【０００５】
次いで、充填した砂利を均し、転圧を行い、上面に上蓋材をかぶせた後、当該上蓋材を適宜手段によって側面材と結束固定する（例えば、特許文献１）。
【０００６】
蛇篭１は、透水性に優れ、柔軟性に富み、地盤変化になじみ良く対応する等の利点をもっている。法面（斜面）Ｑに設置した場合は、湧水や浸透水を効果的に排出し、地表面の浸食を防止し、客土吹付けの落ち着きも良く、緑化が可能である等、土木作業に適した効能を発揮する。近時は、高耐食性線材の普及により、法面以外への適用場面も広がっている。
【先行技術文献】
【特許文献】
【０００７】
【特許文献１】特開２００９−１３３０６２号
【考案の開示】
【考案が解決しようとする課題】
【０００８】
問題は、蛇篭を法面に敷設する際の施工コストと安全性である。
【０００９】
従来の蛇篭は、平場において蛇篭を組み立て、これを法面に移動させて敷設した後、傾斜面において蛇篭に石材を充填する作業を行うが、傾斜地における石材の充填、転圧、上蓋材の固定作業は、平場における作業と異なり処理速度が遅くなる。工期を短縮するには人員の増員しかないが、同一人数で工事を行う場合には工期を短縮できないため、施工コストの削減は難しい。
【００１０】
また従来の蛇篭は、法面における安全確保が困難であった。多くの作業人員を傾斜地に配して、蛇篭の設置、石材の充填、石材の均し、転圧、上蓋材の閉鎖といった作業を長時間にわたって行うため、安全性確保のためのロープの設置が人数分必要となる場合もあるが、ロープを係留する樹木が少ない場所ではアンカーを打ち込む等、作業前の下準備にも時間を要するので、実際には、安全確保の手順を省くケースも生じやすいからである。
【００１１】
そこで、本考案の目的は、法面に配設する蛇篭の敷設作業を効率的かつ安全に行うことが出来るようにする点にある。
【課題を解決するための手段】
【００１２】
前記目的を達成するため、本考案に係る蛇篭は、骨線に金網を配設した底面材、側面材、上蓋材によって成形される蛇篭本体に、二個以上の吊上用金具を配するものであって、この吊上用金具は、前記底面材の下を支持する下面支持部と、当該下面支持部の端部から立ち上げた垂直部と、当該垂直部の上端部に吊上用フックを係止させる係止部を備え、当該係止部は、前記上蓋材より上に位置させてなり、この吊上用金具は、少なくとも前記底面材の左右両端部近傍に配設する（請求項１）。
【００１３】
本考案に係る蛇篭は、吊上用金具を備えるので、石材を充填した後に重機車両（クレーン車等）を介して吊り上げ、移動させることが出来る。
【００１４】
吊上用金具は、蛇篭の底面材の左右両端部近傍に配するが、蛇篭が大きい場合は中央部に適宜数を増加して配設することが出来る。この吊上用金具は、下面支持部を備えるので、蛇篭に石材を詰めた後に吊り上げた場合でも、下面支持部が蛇篭の底面材を下方から支持して当該蛇篭の変形を最小限に抑える。吊上用金具の係止部は、上蓋材の上方に位置させてあるので重機による吊り上げは、蛇篭の上蓋材を閉じた後に行うことが可能である。
【００１５】
吊上用金具は、一本の鉄線を折曲させて形成するものであって、当該鉄線の両端部の突き合わせ部位を、金属製の抱持材を介して溶接し、当該抱持材を、吊上用金具の下面支持部に設ける場合がある（請求項２）。
【００１６】
吊上用金具は、石材を詰めた蛇篭を吊り上げる強度をもつことが必要であるが、ある程度の太さ（外径）をもった一本の鉄線を折曲成形することによって、吊上用金具を成形することが出来る。
【００１７】
この場合、底面材の下を支持する下面支持部と、下面支持部の端部から立ち上げる垂直部は、例えば、線材を平行に設けつつ成形し、垂直部の上端部に設ける係止部を逆Ｕ字状に湾曲成形することによって吊上用金具を成形できる。
【００１８】
一本の鉄線（金属線材）を折曲して成形する場合、鉄線の端部の突き合わせ部を結合させる必要がある。本考案に係る吊上用金具は、下面支持部に突き合わせ部を設け、この突き合わせ部を金属製の抱持材を介して溶接するから、当該部分に引っ張り方向の外力がかかりにくい構造であり、蛇篭の吊り上げ時の強度保証を高めることが出来る。
【００１９】
吊上用金具の下面支持部の両端部近傍に、鉄線の湾曲を抑える平板状の補強材を設ける場合がある（請求項３）。
【００２０】
石材を充填した後に蛇篭を吊り上げたときには、吊上重機のフックの真下、とくに吊上用金具の下面支持部の両端部近傍が撓みやすい。下面支持部が十分な強度をもっている場合は問題ないが、吊上用金具を一本の鉄線によって成形する場合、下面支持部の両端部近傍を平板状の補強材を介して補強することにより、下面支持部の変形を防止し、蛇篭の安全な吊り上げ移動を可能とすることが出来る。蛇篭の製造コストを抑えるには有利である。
【考案の効果】
【００２１】
本考案に係る蛇篭によれば、平場において石材を詰めた後に吊り上げて法面に移動させることが出来るので、蛇篭の敷設作業を効率的かつ安全に行うことが可能となる。
【図面の簡単な説明】
【００２２】
【図１】実施形態に係る蛇篭を例示する斜視図である。
【図２】実施形態に係る吊上用金具と底面材の組立作業を例示する図である。
【図３】実施形態に係る吊上用金具と底面材の組立状態を例示する図である。
【図４】図３の状態から側面材を配する作業過程を例示する図である。
【図５】図４の状態から上蓋材を配する作業過程を例示する図である。
【図６】実施形態に係る吊上用金具を拡大して例示する図である。
【図７】実施形態に係る吊上用金具の抱持材を例示する断面図である。
【図８】実施形態に係る吊上用金具の補強材を側面から例示する図である。
【図９】実施形態に係る蛇篭を平面から例示する図である。
【図１０】実施形態に係る蛇篭を長手方向の側面から例示する図である。
【図１１】実施形態に係る蛇篭を短手方向の側面から例示する図である。
【図１２】実施形態に係る蛇篭を平場から吊り上げる状態を例示する図である。
【図１３】実施形態に係る蛇篭を傾けて吊り上げる状態を例示する図である。
【図１４】法面に蛇篭を敷設する従来一般の図である。
【考案を実施するための形態】
【００２３】
図１に示すように、本考案に係る蛇篭１０は、蛇篭本体１１に二個以上の吊上用金具２０を配設するものであるが、本実施形態では、例えば、三個の吊上用金具を配する場合を例示する。
【００２４】
組立順序は、例えば図２に示すように、三個の吊上用金具２０を略均等間隔で設置し、蛇篭本体１１の底面材１２の金網網目に吊上用金具２０を通して、図３に示すように、底面材１２の下面を吊上用金具２０の下面支持部２１によって支持させる。
【００２５】
次に、図４に示すように、底面材１２の長手方向および短手方向に側面材１４、１５を配する。この後、石材（間詰材；図示せず）を充填し、該石材を均して転圧した後、図５に示すように、上蓋材１６を被せ、当該上蓋材１６の金網網目から吊上用金具２０の上端部を突出させ、図１に示す蛇篭１０を作る。なお、側面材１４、１５は、ヒンジ等、適宜の連結手段を介して予め底面材１２と一体化させておくことが望ましい。組立作業を容易化させるためである。
【００２６】
吊上用金具２０は、より具体的には、例えば図６に示すように、蛇篭本体１１の底面材１２の下を支持する下面支持部２１と、該下面支持部２１の端部から立ち上げた垂直部２２と、該垂直部２２の上端部に吊上用フックを係止させる係止部２３を設けて構成する。係止部２３は、蛇篭本体１１の上蓋材１６より上に突出するよう設ける。
【００２７】
この吊上用金具２０は、例えば、一本の鉄線を折曲させて成形することが出来る。この場合は、下面支持部２１と垂直部２２の部分は鉄線が並列になるよう成形し、係止部２３は、例えば逆Ｕ字状を呈するように成形する。係止部２３と垂直部２２の横幅は、蛇篭本体１１の金網網目の最大の隙間寸法よりも小さく設定し、網目を通すことが出来るようにしておく。
【００２８】
また、鉄線の両端部の突き合わせ部位は、例えば図７にも示すように、金属製の抱持材２６を介して溶接することが好ましい。２７は、溶接部である。
【００２９】
抱持材２６は、例えば、二枚の金属製板材２６−１、２６−２によって鉄線Ｆを挟んで溶接する。或いは金属製板材に孔部を穿設して鉄線Ｆの端部を嵌入して突き合わせ、溶接を行っても良い。符号Ｅは、鉄線Ｆの突き合わせ部分に生じうる若干の隙間である。なお、理解を容易にするために、この隙間Ｅは、図面上強調して描いた。
【００３０】
図６に戻り、吊上用金具２０は、下面支持部２１の両端部近傍に、吊り上げ時における鉄線（Ｆ）の湾曲を抑える平板状の補強材２８を設けることが望ましい。
【００３１】
この補強材２８は、例えば、図８に示すように、鉄線Ｆの上に金属製平板材（溶接用フラットバー）を当接させた上で溶接を行い、当該金属製平板材（溶接用フラットバー）を鉄線Ｆに固着させる。２９は溶接部である。
【００３２】
このような補強材２８を設けることにより、下面支持部２１の両端部近傍の撓み変形が最小限に抑えられる。このため、蛇篭１０を吊り上げたときに蛇篭本体１１の底面材１２が石材重量によって撓もうとしても、吊上用金具２０は変形しにくく、下面支持部２１は蛇篭本体１１の底面材１２をしっかりと支持するので、蛇篭本体１１の底面材１２の撓み変形は最小限に抑えられ、吊り上げ時における蛇篭本体１１の変形も最小限に抑えることが出来る。
【００３３】
図９〜図１１は、蛇篭本体１１に吊上用金具２０を配した状態を例示するものである。図９、図１０に示すように、吊上用金具２０の下面支持部２１は、蛇篭本体１１の短手方向に沿って平行に配列する。吊上用金具２０の配設本数は少なくとも二個以上配する。蛇篭本体１１の底面材１２の左右両端近傍を下面支持部２１によって支持するためである。この実施形態では、蛇篭本体１１の底面材１２の中央部にも吊上用金具２０を配したが、蛇篭本体１１の大きさに応じて吊上用金具２０の数は三個以上に増加させても良い。
【００３４】
また図１１に示すように、吊上用金具２０の下面支持部２１の端部は、蛇篭本体１１の底面材１２の骨線Ｎの内側近傍に位置させる。このようにすれば、当該骨線Ｎと、これに近接させた下面支持部２１の補強材２８とが相俟って、底面材１２の撓みは最小限に抑えられる。
【００３５】
かかる構成によれば、図１２に示すように、平場Ｐにおいて組み立て石材を詰めた蛇篭１０を、クレーン等の重機Ｗを介して吊り上げ、法面Ｑに移動させることができる。Ｒはロープ、Ｓは吊り上げ時のバランスをとる中継材である。吊上用金具２０にロープＲを係止させるときは、例えば、図示しない係止材（フック等）を用いる。
【００３６】
なお、蛇篭１０を吊り上げるときは、図１３に示すように、中継材Ｓと蛇篭１０とを連絡するロープＲの長さを調節することによって、蛇篭１０が法面Ｑと略同一の傾斜をもつよう吊り上げることが望ましい。蛇篭１０を傾斜させて吊り上げると、法面Ｑに設置させる際の位置調整が容易かつ安全となり、作業効率を高めることが出来るからである。
【００３７】
このように、従来の蛇篭の敷設作業とは異なり、平場Ｐにおいて石材詰めを終えた蛇篭１０を重機Ｗによって法面Ｑに移動させれば、法面Ｑにおける作業の工程数が少なくなる結果として、敷設作業の効率が高まり、作業員の員数も抑えることが可能となる。また安全性も確保しやすい。
【００３８】
本考案に係る吊上用金具２０は、蛇篭本体１１の底面材１２を支持する下面支持部２１を備えるので、吊り上げ時における蛇篭１０の変形は最小限に抑えられ、蛇篭１０は、石材を詰めた状態であっても重機Ｗによる吊り上げ移動に耐える。法面Ｑに移動させた蛇篭１０は、ロープＲの係止を解除してそのまま敷設すればよく、吊上用金具２０を除去する必要はない。
【００３９】
本考案に係る蛇篭は、以上の実施形態に限定されない。例えば、吊上用金具２０の配設本数は、二個以上であっても構わない。吊上用金具２０を構成する鉄線Ｆの外径は、吊上用金具２０の配設数に応じて適宜調整できる。なお、吊上用金具２０の鉄線Ｆの外径は、例えば４〜１０ｍｍ程度、通常の場合は６ｍｍ程度の線材を用いることが出来る。
【００４０】
吊上用金具２０は一本の鉄線Ｆで成形するものに限らない。鉄線Ｆに代えて他の金属素材の線材を用いても良いし、下面支持部２１および垂直部２２は鉄線Ｆに代えて、鉄その他の金属板材を用いて成形しても良い。
【００４１】
吊上用金具２０の係止部２３は、必ずしも逆Ｕ字状に成形する必要はない。係止フックと係合できる形状、例えば、環状、逆Ｖ字状であっても良いし、吊り上げ時のバランスを保てる幅寸法に設定すれば直線状のものでも良い。
【００４２】
蛇篭は、直方体のものに限定されない。立方体のもの、円筒形のもの、または平面五角形以上の多角形のものにも適用できる。
【００４３】
直方体の蛇篭を用いる場合、長手方向の側面材の骨線は、ヒンジを介して底面材の骨線に固定しても良い。また接続用のコイル材を介して両者を締結固定することも出来る。その他の固定材を介して両者を締結固定しても良い。
【符号の説明】
【００４４】
１０  蛇篭
１１  蛇篭本体
１２  底面材
１４、１５  側面材
１６  上蓋材
２０  吊上用金具
２１  下面支持部
２２  垂直部
２３  係止部
２６  抱持材
２６−１、２６−２  金属製板材
２７、２９  溶接部
２８  補強材
Ｅ  隙間
Ｆ  鉄線
Ｎ  骨線
Ｐ  平場
Ｑ  法面
Ｒ  ロープ
Ｓ  中継材
Ｗ  重機
【図１】
0003187264.tif 000003
【図２】
0003187264.tif 000004
【図３】
0003187264.tif 000005
【図４】
0003187264.tif 000006
【図５】
0003187264.tif 000007
【図６】
0003187264.tif 000008
【図７】
0003187264.tif 000009
【図８】
0003187264.tif 000010
【図９】
0003187264.tif 000011
【図１０】
0003187264.tif 000012
【図１１】
0003187264.tif 000013
【図１２】
0003187264.tif 000014
【図１３】
0003187264.tif 000015
【図１４】
0003187264.tif 000016